(57)【要約】【課題】放熱効率をより一層向上し得る照明器具を提供する。【解決手段】照明器具は、半導体発光素子を含む発光部と、前記発光部を支持する支持基板と、前記支持基板を挟んで前記発光部とは反対側に位置する複数の放熱フィンと、前記複数の放熱フィンが収容されるフィン収容空間を前記支持基板とともに形成するシェードと、備え、前記フィン収容空間は、前記支持基板に形成された開口を介して外部空間と連通しており、前記開口を含む仮想平面に対して垂直な方向からみたとき、少なくとも一つの前記放熱フィンは、少なくとも部分的に、前記支持基板の前記開口とオーバーラップしている。【選択図】  図４
2017041342.tif 000002
【特許請求の範囲】
【請求項１】
半導体発光素子を含む発光部と、
前記発光部を支持する支持基板と、
前記支持基板を挟んで前記発光部とは反対側に位置する複数の放熱フィンと、
前記複数の放熱フィンが収容されるフィン収容空間を前記支持基板とともに形成するシェードと、
を備え、
前記フィン収容空間は、前記支持基板に形成された開口を介して外部空間と連通しており、
前記開口を含む仮想平面に対して垂直な方向からみたとき、少なくとも一つの前記放熱フィンは、少なくとも部分的に、前記支持基板の前記開口とオーバーラップしていることを特徴とする照明器具。
【請求項２】
前記複数の放熱フィンは、２枚以上のフィン部、および、該２枚以上のフィン部を互いに連結する連結部を有する少なくとも一つのフィンモジュールを含んで構成されることを特徴とする請求項１に記載の照明器具。
【請求項３】
前記少なくとも一つのフィンモジュールは、
一対の第１フィン部、および、該一対の第１フィン部を互いに連結する第１連結部と有する少なくとも一つの第１フィンモジュールと、
前記一対の第１フィン部に比べて大きなフィン間距離を空けて配置された一対の第２フィン部、および、該一対の第２フィン部を互いに連結する第２連結部と有する少なくとも一つの第２フィンモジュールと、
を含み、
前記第１フィンモジュールの各々は、前記一対の第２フィン部の間に前記一対の第１フィン部が挟まれるとともに、前記第２連結部上に前記第１連結部が位置するように、前記第２フィンモジュール上に重ねて配置されたことを特徴とする請求項２に記載の照明器具。
【請求項４】
前記少なくとも一つのフィンモジュールは、
前記支持基板の周方向に並ぶように設けられた複数の前記第１フィンモジュールと、
複数の前記第１フィンモジュール下に重ねてそれぞれ配置される複数の前記第２フィンモジュールと、
前記周方向において互いに隣り合う一対の前記第２フィンモジュールの間に設けられ、一対の第３フィン部、および、該一対の第３フィン部を互いに連結する第３連結部と有する少なくとも一つの第３フィンモジュールと、
を含むことを特徴とする請求項３に記載の照明器具。
【請求項５】
前記第１フィンモジュールと前記第３フィンモジュールとが同一形状を有することを特徴とする請求項４に記載の照明器具。
【請求項６】
前記フィン収容空間は、前記支持基板の周方向に並ぶ前記複数の放熱フィンによって前記支持基板の外周側から内周側に向けて延在する複数の冷却流路に分割されており、
前記複数の冷却流路は、
第１流路と、
前記内周側における流路幅が前記第１流路よりも大きい第２流路と、
を含むことを特徴とする請求項１乃至５の何れか一項に記載の照明器具。
【請求項７】
前記複数の放熱フィンは、一対のフィン部、および、該一対のフィン部を互いに連結する連結部を有する少なくとも一つのフィンモジュールを含んで構成され、
前記連結部は、各々の前記フィン部の基端部を接続するように前記支持基板に平行に延在する平板部を含み、該平板部が前記支持基板に取り付けられ、
前記第２流路は、前記一対のフィン部間において、前記平板部を挟んで前記支持基板とは反対側に形成されることを特徴とする請求項６に記載の照明器具。
【請求項８】
前記周方向において互いに隣接して複数の前記第１流路が並んで形成される第１流路群が、前記第２流路の両側に配置されたことを特徴とする請求項６又は７に記載の照明器具。
【請求項９】
前記支持基板には、前記周方向に並ぶ複数の前記開口が形成されており、前記周方向に隣接する一対の前記開口の間にはブリッジが設けられており、
前記第１流路を形成する前記放熱フィンの少なくとも一つは、少なくとも部分的に、前記支持基板の周方向において前記ブリッジとオーバーラップするように設けられており、
前記第２流路を形成する前記放熱フィンは、いずれも、前記支持基板の周方向において前記開口とオーバーラップするように設けられていることを特徴とする請求項６乃至８の何れか一項に記載の照明器具。
【請求項１０】
前記支持基板には複数の前記開口が形成されており、
少なくとも一つの前記放熱フィンが、少なくとも部分的に、前記支持基板の周方向において各々の前記開口とオーバーラップするように設けられていることを特徴とする請求項１乃至９の何れか一項に記載の照明器具。
【請求項１１】
半導体発光素子を含む発光部と、
前記発光部を支持する支持基板と、
前記支持基板を挟んで前記発光部とは反対側に位置する複数の放熱フィンと、
前記複数の放熱フィンが収容されるフィン収容空間を前記支持基板とともに形成するシェードと、
を備え、
前記フィン収容空間は、前記支持基板の周方向に並ぶ前記複数の放熱フィンによって前記支持基板の外周側から内周側へ向けて延在する複数の冷却流路に分割されており、
前記複数の冷却流路は、
第１流路と、
前記内周側における流路幅が前記第１流路よりも大きい第２流路と、
を含むことを特徴とする照明器具。
【発明の詳細な説明】
【技術分野】
【０００１】
本開示は、ＬＥＤ等の半導体発光素子を光源として用いた照明器具に関する。
【背景技術】
【０００２】
近年、環境保全の観点から、省エネルギー化に優れた半導体発光素子を光源に用いた照明器具の普及が進んでいる。例えばＬＥＤに代表される半導体発光素子は、長寿命で且つ発光効率が高いことを利点としている。
【０００３】
しかしながら、照明器具が適正な環境で使用されない場合、こういった利点が損なわれるおそれがある。すなわち、半導体発光素子は高温によって劣化が助長されるため、高温下で使用される場合には正規の寿命を確保できなくなる可能性がある。特に、高い照度が要求される照明器具においては、照明器具の基板に大電流が流れるため発熱量が大きくなり、早期の光束低下を引き起こす。さらに、基板への蓄熱は、素子間を接続する配線の断線や固定材の剥離などの不良を招くおそれもある。
【０００４】
そこで、照明器具から外部への放熱を促進するための放熱機構を備えたものが知られている。
例えば、特許文献１及び２には、ＬＥＤが取り付けられた基板に熱的に接続されたフィンを備えた照明器具が記載されている。この照明器具においては、ＬＥＤからの放熱は基板からフィンに伝わり、フィンの間を通る空気によって外部へ放熱されるようになっている。
【先行技術文献】
【特許文献】
【０００５】
【特許文献１】特開２０１４−１７０６７２号公報
【特許文献２】特開２０１４−１７０６７６号公報
【発明の概要】
【発明が解決しようとする課題】
【０００６】
しかしながら、半導体発光素子を用いた照明器具の普及をより一層推進する観点から、半導体発光素子や基板の温度上昇に起因した照明器具の寿命短縮をより効果的に抑制することが望まれている。このため、特許文献１及び２に記載されている照明器具の放熱効率をさらに向上させ得る放熱機構が求められている。
【０００７】
上述の事情に鑑みて、本発明の少なくとも幾つかの実施形態は、放熱効率をより一層向上し得る照明器具を提供することを目的とする。
【課題を解決するための手段】
【０００８】
（１）本発明の少なくとも幾つかの実施形態に係る照明器具は、
半導体発光素子を含む発光部と、
前記発光部を支持する支持基板と、
前記支持基板を挟んで前記発光部とは反対側に位置する複数の放熱フィンと、
前記複数の放熱フィンが収容されるフィン収容空間を前記支持基板とともに形成するシェードと、
を備え、
前記フィン収容空間は、前記支持基板に形成された開口を介して外部空間と連通しており、
前記開口を含む仮想平面に対して垂直な方向からみたとき、少なくとも一つの前記放熱フィンは、少なくとも部分的に、前記支持基板の前記開口とオーバーラップしている。
【０００９】
上記（１）の構成によれば、支持基板に形成された開口を含む仮想平面に対して垂直な方向からみたとき、放熱フィンは支持基板の開口とオーバーラップするように設けられているので、開口からフィン収容空間に流入した冷却空気が、開口を通過した直後に放熱フィンに衝突する。よって、放熱フィンと冷却空気との熱交換が促進され、照明器具の放熱効率を向上させることができる。例えば、発光部が放熱フィンの下方に位置するように吊り下げられた状態の照明器具においては、開口を介してフィン収容空間に取り込まれた空気が発光部からの発熱によって温められる結果、フィン収容空間には冷却空気の上昇流が形成される。この際、支持基板に形成された開口の上方に少なくとも一つの放熱フィンが設けられているので、開口を通過してフィン収容空間に流入して上方に向かう冷却空気が放熱フィンに衝突する。よって、放熱フィンと冷却空気との熱交換が促進され、照明器具の放熱効率を向上させることができる。
【００１０】
（２）幾つかの実施形態では、上記（１）の構成において、
前記複数の放熱フィンは、２枚以上のフィン部、および、該２枚以上のフィン部を互いに連結する連結部を有する少なくとも一つのフィンモジュールを含んで構成される。
【００１１】
上記（２）の構成によれば、２枚以上のフィン部が連結部によって連結されたフィンモジュールを用いることで、フィンモジュールに属する２枚以上のフィン部を相互に位置合わせする必要がなくなり、照明器具の組立ての作業効率を向上させることができる。
また、フィンモジュールの連結部によって放熱フィンの熱容量が増大するので、照明器具の放熱効率がより一層向上する。
【００１２】
（３）一実施形態では、上記（２）の構成において、
前記少なくとも一つのフィンモジュールは、
一対の第１フィン部、および、該一対の第１フィン部を互いに連結する第１連結部と有する少なくとも一つの第１フィンモジュールと、
前記一対の第１フィン部に比べて大きなフィン間距離を空けて配置された一対の第２フィン部、および、該一対の第２フィン部を互いに連結する第２連結部と有する少なくとも一つの第２フィンモジュールと、
を含み、
前記第１フィンモジュールの各々は、前記一対の第２フィン部の間に前記一対の第１フィン部が挟まれるとともに、前記第２連結部上に前記第１連結部が位置するように、前記第２フィンモジュール上に重ねて配置される。
【００１３】
上記（３）の構成によれば、フィン間距離が異なる二種類のフィンモジュール（第１フィンモジュール及び第２フィンモジュール）を重ねて配置することで、第１フィンモジュールの第１フィン部同士の間、および、第１フィンモジュールの第１フィン部と第２フィンモジュールの第２フィン部との間において、冷却空気の流路をフィン収容空間の内部に容易に形成することができる。また、フィン間距離が異なる二種類のフィンモジュールの組み合わせを変更すればフィン部の設置密度を任意に変更可能であるため、発光部の搭載数が異なる別仕様の照明器具との間でフィンモジュールの部品共通化を図ることができる。例えば、発光部の搭載数が少ない別仕様の照明器具では、フィン間距離が小さい第１フィンモジュールのみを使用すれば、フィン部の設置密度を低下させることができる。
さらに、第２連結部上に第１連結部が位置するように第１フィンモジュールを第２フィンモジュール上に重ねて配置するようにしたので、第１連結部及び第２連結部によって放熱フィンの熱容量がさらに増大し、照明器具の放熱効率がより一層向上する。
【００１４】
（４）一実施形態では、上記（３）の構成において、
前記少なくとも一つのフィンモジュールは、
前記支持基板の周方向に並ぶように設けられた複数の前記第１フィンモジュールと、
複数の前記第１フィンモジュール下に重ねてそれぞれ配置される複数の前記第２フィンモジュールと、
前記周方向において互いに隣り合う一対の前記第２フィンモジュールの間に設けられ、一対の第３フィン部、および、該一対の第３フィン部を互いに連結する第３連結部と有する少なくとも一つの第３フィンモジュールと、
を含む。
【００１５】
上記（４）の構成によれば、第２フィンモジュールに第１フィンモジュールを重ねて配置することで、第１フィンモジュールの第１フィン部同士の間、および、第１フィンモジュールの第１フィン部と第２フィンモジュールの第２フィン部との間において、冷却空気の流路をフィン収容空間の内部に容易に形成することができる。また、周方向において隣り合う第２フィンモジュールの間に第３フィンモジュールを設けることで、第２フィンモジュールの第２フィン部と第３フィンモジュールの第３フィン部との間、および、第３フィンモジュールの第３フィン部同士の間において、冷却空気の流路をフィン収容空間の内部に容易に形成することができる。
このように、複数種のフィンモジュール（第１フィンモジュール、第２フィンモジュール及び第３フィンモジュール）を組み合わせることで、フィン部の設置密度の調節が容易になる。
【００１６】
（５）一実施形態では、上記（４）の構成において、
前記第１フィンモジュールと前記第３フィンモジュールとが同一形状を有する。
【００１７】
上記（５）の構成によれば、第１フィンモジュールと第３フィンモジュールとに関して、部品を共通化することができ、照明器具の製造コストを削減することができる。
【００１８】
（６）幾つかの実施形態では、上記（１）乃至（５）の何れかの構成において、
前記フィン収容空間は、前記支持基板の周方向に並ぶ前記複数の放熱フィンによって前記支持基板の外周側から内周側に向けて延在する複数の冷却流路に分割されており、
前記複数の冷却流路は、
第１流路と、
前記内周側における流路幅が前記第１流路よりも大きい第２流路と、
を含む。
【００１９】
上記（６）の構成では、フィン収容空間は、複数の放熱フィンによって、流路幅が互いに異なる第１流路及び第２流路を含む複数の冷却流路に分割される。
支持基板の内周側における流路幅が比較的小さい第１流路が形成されることは、第１流路を形成する放熱フィンの枚数が比較的多いことを意味する。よって、比較的流路幅が小さい第１流路を形成することで、放熱フィンの設置密度が増大し、照明器具の放熱効率を向上させることができる。
一方、支持基板の内周側における流路幅が比較的広い第２流路を形成したことにより、フィン収容空間内に取り込まれて放熱フィン間を流れる冷却空気を外周側から内周側へ向けて導くことができる。このため、第２流路を形成する放熱フィンの内周側の領域における放熱フィンと冷却空気との熱交換を促進させることができる。このことによっても、照明器具の放熱効率が向上する。
このように、上記（６）の構成によれば、複数の放熱フィンを均等ピッチで配列するのではなく、流路幅が互いに異なる第１流路及び第２流路が形成されるように複数の放熱フィンを不等ピッチで配列することで、放熱フィンの設置密度の向上を図りながら、冷却空気を内周側の領域まで導くことが可能になり、照明器具の放熱効率を向上させることができる。
【００２０】
（７）一実施形態では、上記（６）の構成において、
前記複数の放熱フィンは、一対のフィン部、および、該一対のフィン部を互いに連結する連結部を有する少なくとも一つのフィンモジュールを含んで構成され、
前記連結部は、各々の前記フィン部の基端部を接続するように前記支持基板に平行に延在する平板部を含み、該平板部が前記支持基板に取り付けられ、
前記第２流路は、前記一対のフィン部間において、前記平板部を挟んで前記支持基板とは反対側に形成される。
【００２１】
第２流路の流路幅は、内周側の領域まで十分な量の冷却空気を導くために高精度に調節されることが望ましい。ところが、複数の放熱フィンを組み付けるに際して、各放熱フィンを高精度に位置合わせしようとすると、照明器具の組立て作業の効率が低下してしまう。
この点、上記（７）の構成によれば、第２流路を形成する一対のフィン部が連結部によって連結されてフィンモジュールを構成しているため、照明器具の組立て作業の効率低下を招くことなく、規定の流路幅を有する第２流路を高精度に形成することができる。
また、フィンモジュールの連結部（平板部）が支持基板の上面に固定されるため、支持基板からの熱が連結部に直接伝わりやすくなり、照明器具の放熱効率が向上する。
【００２２】
（８）一実施形態では、上記（６）又は（７）の構成において、
前記周方向において互いに隣接して複数の前記第１流路が並んで形成される第１流路群が、前記第２流路の両側に配置される。
【００２３】
上記構成（８）では、半径方向内側の領域まで十分な量の冷却空気を導くためにある程度の流路幅を必要とする第２流路の両側において、第２流路よりも流路幅が狭い第１流路が複数並んで第１流路群を形成している。これにより、第１流路を形成する放熱フィンの設置密度が向上し、照明器具の放熱効率が向上する。
【００２４】
（９）一実施形態では、上記（６）乃至（８）の何れかの構成において、
前記支持基板には、前記周方向に並ぶ複数の前記開口が形成されており、前記周方向に隣接する一対の前記開口の間にはブリッジが設けられており、
前記第１流路を形成する前記放熱フィンの少なくとも一つは、少なくとも部分的に、前記支持基板の周方向において前記ブリッジとオーバーラップするように設けられており、
前記第２流路を形成する前記放熱フィンは、いずれも、前記支持基板の周方向において前記開口とオーバーラップするように設けられている。
【００２５】
上記（６）で述べたように、流路幅が比較的広い第２流路を形成する放熱フィンは、第２流路を介して内周側の領域まで導かれた冷却空気との間で生じる熱交換によって冷却される。その上、上記構成（９）では、第２流路を形成する放熱フィンが開口とオーバーラップするように配置されているので、第２流路を形成する放熱フィンは、外周側の領域においても、開口を介してフィン収容空間に流入する冷却空気の流れと直接接触して冷却空気との間で生じる熱交換によって冷却される。
このように、第２流路を形成する放熱フィンを、内周側の領域及び外周側の領域の両方において、優先的に冷却空気と接触させることにより、照明器具全体としての放熱効率を向上させることができる。
【００２６】
（１０）幾つかの実施形態では、上記（１）乃至（９）の何れかの構成において、
前記支持基板には複数の前記開口が形成されており、
少なくとも一つの前記放熱フィンが、少なくとも部分的に、前記支持基板の周方向において各々の前記開口とオーバーラップするように設けられている。
【００２７】
上記（１０）の構成によれば、各開口を通過してフィン収容空間に流入した冷却空気が何れかの放熱フィンに衝突するので、放熱フィンと冷却空気との熱交換がより一層促進され、照明器具の放熱効率をさらに向上させることができる。
【００２８】
（１１）本発明の他の少なくとも幾つかの実施形態に係る照明器具は、
半導体発光素子を含む発光部と、
前記発光部を支持する支持基板と、
前記支持基板を挟んで前記発光部とは反対側に位置する複数の放熱フィンと、
前記複数の放熱フィンが収容されるフィン収容空間を前記支持基板とともに形成するシェードと、
を備え、
前記フィン収容空間は、前記支持基板の周方向に並ぶ前記複数の放熱フィンによって前記支持基板の外周側から内周側へ向けて延在する複数の冷却流路に分割されており、
前記複数の冷却流路は、
第１流路と、
前記内周側における流路幅が前記第１流路よりも大きい第２流路と、
を含む。
【００２９】
上記（１１）の構成によれば、フィン収容空間は、複数の放熱フィンによって、流路幅が互いに異なる第１流路及び第２流路を含む複数の冷却流路に分割される。
支持基板の内周側における流路幅が比較的小さい第１流路が形成されることは、第１流路を形成する放熱フィンの枚数が比較的多いことを意味する。よって、比較的流路幅が小さい第１流路を形成することで、放熱フィンの設置密度が増大し、照明器具の放熱効率を向上させることができる。
一方、支持基板の内周側における流路幅が比較的広い第２流路を形成したことにより、フィン収容空間内に取り込まれて放熱フィン間を流れる冷却空気を内周側に導くことができる。このため、第２流路を形成する放熱フィンの内周側の領域における放熱フィンと冷却空気との熱交換を促進させることができる。このことによっても、照明器具の放熱効率が向上する。
このように、上記（１１）の構成によれば、複数の放熱フィンを均等ピッチで配列するのではなく、流路幅が互いに異なる第１流路及び第２流路が形成されるように複数の放熱フィンを不等ピッチで配列することで、放熱フィンの設置密度の向上を図りながら、冷却空気を内周側の領域まで導くことが可能になり、照明器具の放熱効率を向上させることができる。
【発明の効果】
【００３０】
本発明の少なくとも幾つかの実施形態によれば、支持基板に形成された開口を含む仮想平面に対して垂直な方向からみたとき、放熱フィンは支持基板の開口とオーバーラップするように設けられているので、開口からフィン収容空間に流入した冷却空気が、開口を通過した直後に放熱フィンに衝突する。よって、放熱フィンと冷却空気との熱交換が促進され、照明器具の放熱効率を向上させることができる。
【図面の簡単な説明】
【００３１】
【図１】一実施形態に係る照明器具の鉛直方向に沿った断面図である。
【図２】一実施形態に係る照明器具の底面図（図１のＡ−Ａ線矢視図）である。
【図３】一実施形態に係る照明器具の上面図（図１のＢ−Ｂ線矢視図）である。
【図４】一実施形態に係る照明器具の斜視図である。
【図５】一実施形態に係る照明器具周囲の空気流れを示す図である。
【図６】一実施形態に係る照明器具のフィン配列を示す図（図１のＣ−Ｃ線矢視図に対応）である。
【図７】他の実施形態に係る照明器具のフィン配列を示す図（図１のＣ−Ｃ線矢視図に対応）である。
【図８】一実施形態に係るフィンの構成を示す斜視図である。
【発明を実施するための形態】
【００３２】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００３３】
最初に、図１乃至図４を例示しながら幾つかの実施形態に係る照明器具１の全体構成について説明する。なお、図１は、一実施形態に係る照明器具１の鉛直方向に沿った断面図である。図２は、一実施形態に係る照明器具１の底面図（図１のＡ−Ａ線矢視図）である。図３は、一実施形態に係る照明器具１の上面図（図１のＢ−Ｂ線矢視図）である。図４は、一実施形態に係る照明器具１の斜視図である。
【００３４】
幾つかの実施形態において、照明器具１は、例えば図１乃至図４に示すように、半導体発光素子を含む発光部２と、発光部２を支持する支持基板４と、支持基板４を挟んで発光部２とは反対側（図１に示す実施形態では支持基板４の上方）に位置する複数の放熱フィン１０と、支持基板４とともにフィン収容空間４０を形成するシェード２０と、を備える。ここで、フィン収容空間４０は、支持基板４及びシェード２０によって画定される空間であり、複数の放熱フィン１０が収容される。また、支持基板４の２つの面のうち、発光部２側の面を第１面４ａとし、放熱フィン１０側の面（すなわちフィン収容空間４０に面する側の面）を第２面４ｂとする。
なお、以下、「周方向」および「半径方向」とは、支持基板４の中心を基準とした場合における周方向および半径方向である。また、以下、単に「内周側」および「外周側」という場合は、支持基板４の内周側の領域および外周側の領域のことをいう。
【００３５】
また、照明器具１は、鉛直方向に沿って延在する支柱部３０、支持基板４の上方に設けられた上部支持板２４、発光部２を覆うように設けられた照明カバー８、または、上部支持板２４の上方に設けられたカバープレート３５の少なくとも一つを、適宜備えていてもよい。なお、図１乃至図４に例示的に示す実施形態では、支柱部３０が鉛直方向に沿うように照明器具１が配置された構成を示しているが、照明器具１の姿勢はこれに限定されるものではない。例えば支柱部３０が鉛直方向に対して傾斜するように照明器具１が配置されていてもよい。
【００３６】
以下、幾つかの実施形態に係る照明器具１における各部位の具体的な構成について説明する。
【００３７】
図１及び図２に示す発光部２は、半導体発光素子を含む半導体素子モジュール又は半導体素子パッケージである。例えば、発光部２は、半導体発光素子と、一又は複数の半導体発光素子が取り付けられる基板と、基板に取付けられるとともに半導体発光素子に接続される端子と、端子に接続され半導体発光素子に電流を流すためのリード線と、を含む半導体素子モジュール又は半導体素子パッケージであってもよい。
半導体発光素子は、例えば、ＬＥＤ（発光ダイオード素子；Light Emitting Diode）であってもよい。この場合、発光部２は、半導体発光素子としてのＬＥＤの点灯動作に必要な制御を行うための制御部を更に含んでいてもよい。また、発光部２は、全てが一体的に形成されて分解不可の構成であってもよい。
また、他の実施形態では、発光部２は、上述した構成において、半導体発光素子としてＬＥＤに替えて半導体レーザが用いられてもよい。
図１及び図２に示す例示的な実施形態では、複数の発光部２が支柱部３０の周囲において周方向に並ぶように円板状の支持基板４の第１面（下面）４ａに設置されている。発光部２の個数は、照明器具１の仕様に応じて任意に設定可能である。なお、図１及び図２において、発光部２については詳細構造（リード線を含む各種の配線等）を省略して図示している。
【００３８】
幾つかの実施形態では、支持基板４は、例えば図１、図２及び図４に示すように、冷却空気をフィン収容空間４０内に取り込むための開口５を有している。開口５は、図２及び図４に示すように、円板状の支持基板４の外周側において周方向に沿って複数配列されていてもよい。開口５の形状は、図示されるように方形状であってもよいし、方形以外の多角形状であってもよいし、あるいは円形状（楕円を含む）であってもよい。
また、支持基板４の中心部には一つの貫通穴６が設けられており、貫通穴６に支柱部３０が挿入された状態で支持基板４が支柱部３０に固定されるようになっている。固定手法の一例として、支持基板４は、かしめによって支柱部３０の下端部３１に固定される。さらに、支持基板４は、熱伝導率の高い材料で形成されてもよく、例えば、アルミニウム、鉄、または銅を含む金属、あるいは放熱性セラミックス材料等が用いられる。
【００３９】
照明カバー８は、発光部２から照射される光を阻害しないように、透光性材料で形成される。図１、図２及び図４に示す例示的な実施形態では、照明カバー８は、発光部２を覆うように、支持基板４に固定されている。
【００４０】
幾つかの実施形態では、少なくとも一つの放熱フィン１０は、開口５を含む仮想平面Ｍ（図１参照）に対して垂直な方向からみたとき、少なくとも部分的に、支持基板４の開口５とオーバーラップしている。なお、上記「垂直な方向」とは、図１及び図５に示す垂直方向Ｖである。また、図１及び図５に例示的に示す実施形態においては、垂直方向Ｖは、照明器具１の高さ方向と同一である。
例えば、放熱フィン１０は、熱伝導率の高い材料で形成されている。放熱フィン１０の材料としては、例えばアルミニウム、鉄、または銅を含む金属、あるいは放熱性セラミックス材料等が用いられる。また、放熱フィン１０は、支持基板４に対して熱的に接続されている。図１及び図４に示す例示的な実施形態では、複数の放熱フィン１０が支柱部３０を中心として放射状に配列されており、各々の放熱フィン１０は支持基板４の第２面（上面）４ｂに接触した状態で固定される。隣り合う２枚の放熱フィン１０の間には冷却用の空気が流れる冷却流路２００が形成される。なお、放熱フィン１０の具体的な構成については後述する。
【００４１】
シェード２０は、フィン収容空間４０を支持基板４とともに形成する。具体的には、フィン収容空間４０は、シェード２０の内壁面と支持基板４の第２面（上面）４ｂとによって画定され、複数の放熱フィン１０を収容するように構成されている。
図１及び図４に示す例示的な実施形態では、シェード２０は、上方から下方に向けて拡径した中空円錐台状に形成されている。他の実施形態では、シェード２０は円筒状であってもよいし、断面が多角形状（方形を含む）の角筒状であってもよい。
また、図１及び図４に示す例示的な実施形態では、シェード２０の下端部２１は、発光部２から照射された光が下方の照射領域（不図示）に到達するのを妨げないように内周側から外周側（半径方向外側）に向かって突出しているのに対し、シェード２０の上端部２２は、外周側から内周側（半径方向内側）に向かって突出している。シェード２０の上端部２２は、上部支持板２４によって支持されるようになっている。
なお、一例として、シェード２０は、スピニング加工（例えばヘラ絞り）によって作製されてもよい。また、シェード２０は、熱伝導率の高い材料で形成されてもよく、例えば、アルミニウム、鉄、または銅を含む金属、あるいは放熱性セラミックス材料等が用いられる。
【００４２】
支柱部３０は、支持基板４に固定される下端部３１と造営材５０に取付け可能に構成された上端部３２とを有し、鉛直方向に沿って延在する。
図１に示される例示的な実施形態では、支柱部３０の上端部３２は、ブラケット３６を介して造営材５０に取付けられている。ブラケット３６の上部は締結部材３７によって造営材５０に固定され、ブラケット３６の下部には支柱部３０の上端部３２が締結部材３８によって固定される。なお、造営材５０は、例えば天井や柱などの建物の構造材であり、照明領域の上方に位置する。
【００４３】
上部支持板２４は、支持基板４の上方において水平方向に沿って延在し、支柱部３０の上端部３２と下端部３１との間の中央部３３に固定される。
図１、図３及び図４に示される例示的な実施形態では、上部支持板２４は、円板状に形成されており、その中心部には一つの貫通穴２６が設けられている。この貫通穴２６に支柱部３０が挿入された状態で、上部支持板２４と支柱部３０が固定されるようになっている。固定の一構成例として、上部支持板２４は、支柱部３０に固定された第１環状部２７と第２環状部２９との間に挟み込まれることによって、支柱部３０に対して固定される。第１環状部２７は、円筒状に形成され、支柱部３０の外周を囲むように配置される。この状態で、締結部材（例えばリベット）２８によって第１環状部２７と支柱部３０が締結される。第２環状部２９も支柱部３０の外周を囲むように配置され、支柱部３０に固定される。なお、第２環状部２９は、支柱部３０の外周面に設けられたフランジのように、支柱部３０と一体的に設けられてもよい。そして、上部支持板２４の下面に第２環状部２９が当接し、上部支持板２４の上面に第１環状部２７が当接し、第２環状部２９と第１環状部２７との間に上部支持板２４が挟み込まれることによって、上部支持板２４は支柱部３０に対して固定される。
【００４４】
上述したように、支柱部３０の下端部３１には支持基板４が固定されている。すなわち、支柱部３０は、上端部３２がブラケット３６を介して造営材５０に固定されるとともに、上方から下方へ向けて順に、後述するカバープレート３５、中央部３３に位置する上部支持板２４、下端部３１に位置する支持基板４が取り付けられている。
【００４５】
シェード２０は、締結部材２３によって、上部支持板２４の上面に締結されてもよい。
図１、図３及び図４に示す例示的な実施形態では、上部支持板２４の外周側縁部の上面に、シェード２０の上端部２２（シェード２０のうち内周側に突出した部位）の下面が当接した状態で、上部支持板２４およびシェード２０の上端部２２を締結部材２３が締結するようになっている。この場合、シェード２０の上端部２２にはバカ穴が設けられ、上部支持板２４には雌ねじが切られたねじ穴が設けられ、これらの穴を貫通するように締結部材２３が挿入されて、上部支持板２４およびシェード２０の上端部２２を締結するようにしてもよい。
【００４６】
また、上部支持板２４には、開口５を介してフィン収容空間４０に取り込まれた冷却空気を排出するための空気排出口２５が形成されていてもよい。図３及び図４に示す例示的な実施形態では、上部支持板２４の周方向に沿って複数の空気排出口２５が配列されている。
開口５からフィン収容空間４０に取り込んだ冷却空気によって照明器具１の冷却を行った後、温かくなった冷却空気を上部支持板２４の空気排出口２５から外部に排出することで、冷却空気の循環流を形成し、照明器具１を効率的に冷却することができる。
【００４７】
カバープレート３５は、埃等の異物が空気排出口２５からフィン収容空間４０に侵入することを防止するように構成される。図示される例では、カバープレート３５は、上部支持板２４と同一の径または上部支持板２４よりも大径に形成された円板形状を有している。また、上部支持板２４とカバープレート３５との間にスペーサ３４が設けられており、上部支持板２４の空気排出口２５からの空気の排気が阻害されないようになっている。
【００４８】
少なくとも幾つかの実施形態では、図１及び図４に示すように、シェード２０の内壁面と支持基板４の第２面（上面）４ｂとによって画定されるフィン収容空間４０は、支持基板４に形成された開口５を介して外部空間５２と連通している。さらに、少なくとも一つの放熱フィン１０は、少なくとも部分的に、支持基板４の開口５の上方に位置する。
【００４９】
ここで、図５を参照して、点灯時における照明器具１の放熱作用について説明する。
図５は、一実施形態に係る照明器具１の周囲の空気流れ（図中矢印で示す流れ）を示す図である。
照明器具１の点灯時、発光部２は発熱し、その熱は支持基板４を介して放熱フィン１０やシェード２０に伝わり、シェード２０のフィン収容空間４０および下方空間４２はシェード２０の外部空間５２よりも高温になる。なお、シェード２０の下方空間４２とは、シェード２０の内壁面と支持基板４の第１面（下面）４ａとで形成される空間である。このため、フィン収容空間４０および下方空間４２の空気密度が外部空間５２よりも小さくなり、フィン収容空間４０および下方空間４２内の高温空気に浮力が生じて、シェード２０の下方から下方空間４２、フィン収容空間４０に順に空気が流入してシェード２０の内部に上昇気流が発生する（煙突効果）。このとき、下方空間４２に流入した空気は、支持基板４の開口５を介してフィン収容空間４０に吸い込まれる。そして、フィン収容空間４０内に吸い込まれた空気は、隣り合う一対の放熱フィン１０の間の冷却流路２００を通って上昇し、フィン収容空間４０の上部に位置する空気排出口２５から排出される。こうして、シェード２０の内部を流れる空気との熱交換によって、発光部２、支持基板４、放熱フィン１０およびシェード２０は放熱し、冷却される。
【００５０】
上述した構成によれば、支持基板４に形成された開口５を含む仮想平面Ｍに対して垂直な方向からみたとき、放熱フィン１０は支持基板４の開口５とオーバーラップするように設けられているので、開口５からフィン収容空間４０に流入した冷却空気が、開口５を通過した直後に放熱フィン１０に衝突する。よって、放熱フィン１０と冷却空気との熱交換が促進され、照明器具１の放熱効率を向上させることができる。例えば、図１乃至図５に示す実施形態のように発光部２が放熱フィン１０の下方に位置するように吊り下げられた状態の照明器具１においては、支持基板４に形成された開口５の上方に少なくとも一つの放熱フィン１０が設けられているので、開口５を通過してフィン収容空間４０に流入して上方に向かう冷却空気が放熱フィン１０に衝突する。すなわち、開口５からフィン収容空間４０に取り入れられた空気が、フィン収容空間４０に流入した直後から放熱フィン１０と接触し続ける。よって、放熱フィン１０と冷却空気との熱交換が促進され、照明器具１の放熱効率を向上させることができる。
【００５１】
また、上記実施形態において、支持基板４には複数の開口５が形成されており、各々の開口５の上方には、少なくとも一つの放熱フィン１０が少なくとも部分的に位置するようにしてもよい。
上記構成によれば、各開口５を通過してフィン収容空間４０に流入して上方に向かう冷却空気が何れかの放熱フィン１０に衝突するので、放熱フィン１０と冷却空気との熱交換がより一層促進され、照明器具１の放熱効率をさらに向上させることができる。
【００５２】
ここで、図６乃至図８を参照して、幾つかの実施形態に係る放熱フィン１０の具体的な構成について説明する。なお、図６は、一実施形態に係る照明器具１のフィン配列を示す図（図１のＣ−Ｃ線矢視図に対応）である。図７は、他の実施形態に係る照明器具１のフィン配列を示す図（図１のＣ−Ｃ線矢視図に対応）である。図８は、一実施形態に係る放熱フィン１０の構成を示す斜視図である。
【００５３】
幾つかの実施形態において、複数の放熱フィン１０は、例えば図６乃至図８に示すように、少なくとも一つのフィンモジュール１００を含んで構成される。各々のフィンモジュール１００は、２枚以上のフィン部１０２、および、該２枚以上のフィン部１０２を互いに連結する連結部１０６を有する。ここで、図７及び図８では、後述する第１フィンモジュール１００Ａ，第２フィンモジュール１００Ｂ及び第３フィンモジュール１００Ｃのそれぞれに対応して、フィン部１０２及び連結部１０６の末尾にアルファベットを付して、何れのフィンモジュールに属するフィン部１０２及び連結部１０６であるのかを明示している。
なお、フィンモジュール１００は、２枚以上のフィン部１０２と連結部１０６とが同一部材によって一体的に形成されてもよいし、それぞれが別部材によって別体として形成されており互いに結合された構成であってもよい。
【００５４】
図６乃至図８に例示的に示す実施形態では、互いに離間して配置された一対のフィン部１０２が、連結部１０６によって一体的となるように連結された構成を有している。具体的には、各々のフィンモジュール１００は、一対のフィン部１０２および連結部１０６が断面Ｕ字形状をなすように設けられている。
なお、図示は省略するが他の実施形態では、フィンモジュールは、３枚以上のフィン部１０２が連結部１０６によって連結された構成であってもよい。あるいは、図６乃至図８に示す一対のフィン部１０２および連結部１０６を有するフィンモジュール１００と、不図示の３枚以上のフィン部１０２および連結部１０６を有するフィンモジュールとが照明器具１に混在して設けられてもよい。
【００５５】
また、図６乃至図８に例示的に示す実施形態では、連結部１０６が、フィン部１０２の下端同士を連結し、支持基板４に略平行に配置するように設けられている。
あるいは、図示は省略するが他の実施形態では、連結部１０６は、フィン部１０２の高さ方向（垂直方向Ｖ）における中央部において複数のフィン部同士を連結するように構成されてもよい。
すなわち、連結部１０６によって、２枚以上のフィン部１０２が互いに連結される構成を有していれば、フィンモジュールの具体的構成は特に限定されない。
【００５６】
上記構成によれば、２枚以上のフィン部１０２が連結部１０６によって連結されたフィンモジュール１００を用いることで、フィンモジュール１００に属する２枚以上のフィン部１０２を相互に位置合わせする必要がなくなり、照明器具１の組立ての作業効率を向上させることができる。
また、フィンモジュール１００の連結部１０６によって放熱フィン１０の熱容量が増大するので、照明器具１の放熱効率がより一層向上する。
【００５７】
幾つかの実施形態では、例えば図６及び図７に示されるように、少なくとも一つのフィン部１０２は、内周側（半径方向内側）の第１端部１０３と外周側（半径方向外側）の第２端部１０４とを有し、第１端部１０３から外周側に向かって延在し、開口５の上方を通過して、開口５よりも外周側に位置する第２端部１０４に至っている。
上記構成によれば、開口５に面するフィン部１０２の面積（フィン部１０２の下端面のうち開口５に面する領域の面積）が大きくなり、開口５から取り込まれた空気との接触によるフィン部１０２の冷却効果をより一層向上させることができる。
【００５８】
他の実施形態では、少なくとも一つのフィン部１０２は、内周側（径方向内側）の第１端部１０３と外周側（径方向外側）の第２端部１０４とを有し、第１端部１０３から外周側に向かって延在し、開口５の上方に位置する第２端部１０４に至っている。この場合、支持基板４の周方向に沿った仮想線によって開口５の開口面積を二等分したとき、該仮想線よりもフィン部１０２の第２端部１０４が外周側に位置していてもよい。
【００５９】
一実施形態では、図７及び図８に示すように、少なくとも一つのフィンモジュール１００は、少なくとも一つの第１フィンモジュール１００Ａと、少なくとも一つの第２フィンモジュール１００Ｂと、を含む。
第１フィンモジュール１００Ａは、一対の第１フィン部１０２Ａ、および、該一対の第１フィン部１０２Ａを互いに連結する第１連結部１０６Ａを有する。
第２フィンモジュール１００Ｂは、一対の第２フィン部１０２Ｂ、および、該一対の第２フィン部１０２Ｂを互いに連結する第２連結部１０６Ｂを有する。一対の第２フィン部１０２Ｂは、一対の第１フィン部１０２Ａに比べて大きなフィン間距離を空けて配置される。すなわち、図７に示すように、支持基板４の外周側から内周側へ向かう方向（例えば半径方向）における任意の位置において、周方向における一対の第１フィン部１０２Ａの間の距離をｄ１とし、周方向における前記一対の第２フィン部１０２Ｂの間の距離をｄ２としたとき、ｄ１＜ｄ２の関係を満たす。なお、図７には、一例として、各フィン部１０２Ａ，１０２Ｂの外周側に位置する第２端部１０４間の距離に対して符号ｄ１，ｄ２を示している。
【００６０】
また、第１フィンモジュール１００Ａの各々は、一対の第２フィン部１０２Ｂの間に一対の第１フィン部１０２Ａが挟まれるとともに、第２連結部１０６Ｂ上に第１連結部１０６Ａが位置するように、第２フィンモジュール１００Ｂ上に重ねて配置される。図７及び図８に示す例示的な実施形態では、第１連結部１０６Ａは、一対の第１フィン部１０２Ａの下端同士を連結するように構成され、第２連結部１０６Ｂは、一対の第２フィン部１０２Ｂ下端同士を連結するように構成される。また、第１連結部１０６Ａ及び第２連結部１０６Ｂは、支持基板４に平行な板状に形成される。そして、第１連結部１０６Ａの下面と第２連結部１０６Ｂの上面とが面接触し、且つ、第２連結部１０６Ｂの下面と支持基板４の第２面（上面）４ｂとが面接触するように配置される。
【００６１】
上記構成によれば、フィン間距離が異なる二種類のフィンモジュール（第１フィンモジュール１００Ａ及び第２フィンモジュール１００Ｂ）を重ねて配置することで、第１フィンモジュール１００Ａの第１フィン部１０２Ａ同士の間、および、第１フィンモジュール１００Ａの第１フィン部１０２Ａと第２フィンモジュール１００Ｂの第２フィン部１０２Ｂとの間において、冷却空気の流路をフィン収容空間４０の内部に容易に形成することができる。また、フィン間距離が異なる二種類のフィンモジュール１００Ａ，１００Ｂの組み合わせを変更すれば第１フィン部１０２Ａ又は第２フィン部１０２Ｂの設置密度を任意に変更可能であるため、発光部２（図２参照）の搭載数が異なる別仕様の照明器具１との間でフィンモジュールの部品共通化を図ることができる。例えば、発光部２の搭載数が少ない別仕様の照明器具１では、フィン間距離が小さい第１フィンモジュール１００Ａのみを使用すれば、フィン部１０２Ａの設置密度を低下させることができる。
さらに、第２連結部１０６Ｂ上に第１連結部１０６Ａが位置するように第１フィンモジュール１００Ａを第２フィンモジュール１００Ｂ上に重ねて配置するようにしたので、第１連結部１０６Ａ及び第２連結部１０６Ｂによって放熱フィン１０の熱容量がさらに増大し、照明器具１の放熱効率がより一層向上する。なお、放熱効率向上および取付け作業性向上の観点から、第１連結部１０６Ａまたは第２連結部１０６Ｂの面積を十分に確保するために、第１連結部１０６Ａまたは第２連結部１０６Ｂは、それぞれ、第１フィン部１０２Ａまたは第２フィン部１０２Ｂの全長（例えば支持基板４の半径方向に沿ったフィン部長さ）に亘って延在してもよい。なお、上記構成において、図１及び図８に例示的に示すように、支持基板４のうち第１連結部１０６Ａ（１０６）と第２連結部１０６Ｂ（１０６）とが重なって取り付けられた領域の裏面（第１面４ａ）に位置するように、発光部２が支持基板４に取付けられていてもよい。この場合、発光部２で発生した熱が、支持基板４を介して第１フィンモジュール１００Ａ及び第２フィンモジュール１００Ｂにより一層伝わり易くなり、照明器具１の放熱効率をより一層向上させることができる。
【００６２】
図６に例示的に示す実施形態では、一対のフィン部１０２およびこれらを互いに連結する連結部１０６を含む複数のフィンモジュール１００が、支柱部３０の周りに放射状に位置するように支持基板４に取付けられている。すなわち、放熱フィン１０は、一種類のフィンモジュール１００のみを複数個含む。この場合、複数のフィンモジュール１００が、支柱部３０の周りに放射状に等間隔で配置されてもよい。
【００６３】
幾つかの実施形態では、例えば図７及び図８に示すように、照明器具１における少なくとも一つのフィンモジュール１００は、支持基板４の周方向に並ぶように設けられた複数の第１フィンモジュール１００Ａと、複数の第１フィンモジュール１００Ａ下に重ねてそれぞれ配置される複数の第２フィンモジュール１００Ｂと、周方向において互いに隣り合う一対の第２フィンモジュール１００Ｂの間に設けられた少なくとも一つの第３フィンモジュール１００Ｃと、を含むように構成されてもよい。この場合、第３フィンモジュール１００Ｃは、一対の第３フィン部１０２Ｃ、および、該一対の第３フィン部１０２Ｃを互いに連結する第３連結部１０６Ｃを有する。
【００６４】
図８に示す例示的な実施形態では、第１フィンモジュール１００Ａの第１連結部１０６Ａおよび第２フィンモジュール１００Ｂの第２連結部１０６Ｂは、互いに対応した位置に締結用穴１４０を有している。また、支持基板４もこの締結用穴１４０に対応した位置に締結用穴（不図示）を有している。そして、第１連結部１０６Ａ及び第２連結部１０６Ｂの締結用穴を貫通するように締結部材（例えばボルト）が挿入されて、この締結部材が支持基板４に締結されることによって、第１フィンモジュール１００Ａ及び第２フィンモジュール１００Ｂが支持基板４に共締めによって固定されるようになっている。このとき、第１連結部１０６Ａと第２連結部１０６Ｂ、および、第２連結部１０６Ｂと支持基板４は、それぞれ面接触しているため、発光部２からの熱が、支持基板４から第１連結部１０６Ａ又は第２連結部１０６Ｂを介して第１フィン部１０２Ａ又は第２フィン部１０２Ｂに円滑に伝わる。
【００６５】
上記構成によれば、第２フィンモジュール１００Ｂに第１フィンモジュール１００Ａを重ねて配置することで、第１フィンモジュール１００Ａの第１フィン部１０２Ａ同士の間、および、第１フィンモジュール１００Ａの第１フィン部１０２Ａと第２フィンモジュール１００Ｂの第２フィン部１０２Ｂとの間において、冷却空気の流路をフィン収容空間４０の内部に容易に形成することができる。また、周方向において隣り合う第２フィンモジュール１００Ｂの間に第３フィンモジュール１００Ｃを設けることで、第２フィンモジュール１００Ｂの第２フィン部１０２Ｂと第３フィンモジュール１００Ｃの第３フィン部１０２Ｃとの間、および、第３フィンモジュール１００Ｃの第３フィン部１０２Ｃ同士の間において、冷却空気の流路をフィン収容空間４０の内部に容易に形成することができる。
このように、複数種のフィンモジュール（第１フィンモジュール１００Ａ、第２フィンモジュール１００Ｂ及び第３フィンモジュール１００Ｃ）を組み合わせることで、フィン部１０２の設置密度の調節が容易になる。
【００６６】
さらに、上記実施形態において、図７及び図８に示すように、第１フィンモジュール１００Ａと第３フィンモジュール１００Ｃとが同一形状を有していてもよい。
この構成によれば、第１フィンモジュール１００Ａと第３フィンモジュール１００Ｃとに関して、部品を共通化することができ、照明器具１の製造コストを削減することができる。
あるいは、図示は省略するが、比較的大型の照明器具１であり放熱フィン１０の設置スペースを確保し得る場合には、第２フィンモジュール１００Ｂと第３フィンモジュール１００Ｃとが同一形状を有していてもよい。この場合も、部品の共通化により照明器具１の製造コストの削減が図れる。
【００６７】
幾つかの実施形態では、例えば図６乃至図８に示すように、フィン収容空間４０は、支持基板４の周方向に並ぶ複数の放熱フィン１０によって、支持基板４の外周側から内周側に向けて延在（図６及び図７に示す実施形態では半径方向に沿って延在）する複数の冷却流路２００に分割されている。複数の冷却流路２００は、第１流路２１０（２１０ａ，２１０ｂ）と、内周側における流路幅が第１流路２１０（２１０ａ，２１０ｂ）よりも大きい第２流路２２０と、を含む。
【００６８】
上記構成では、フィン収容空間４０は、複数の放熱フィン１０によって、流路幅が互いに異なる第１流路２１０（２１０ａ，２１０ｂ）及び第２流路２２０を含む複数の冷却流路２００に分割される。
内周側における流路幅が比較的小さい第１流路２１０（２１０ａ，２１０ｂ）が形成されることは、第１流路２１０（２１０ａ，２１０ｂ）を形成する放熱フィン１０の枚数が比較的多い（設置密度が高い）ことを意味する。よって、比較的流路幅が小さい第１流路２１０（２１０ａ，２１０ｂ）を形成することで、放熱フィン１０の設置密度が増大し、照明器具１の放熱効率を向上させることができる。
【００６９】
一方、内周側における流路幅が比較的広い第２流路２２０を形成したことにより、フィン収容空間４０内に取り込まれて放熱フィン１０間を流れる冷却空気を内周側に導くことができる。このため、第２流路２２０を形成する放熱フィン１０の内周側の領域における放熱フィン１０と冷却空気との熱交換を促進させることができる。このことによっても、照明器具１の放熱効率が向上する。
【００７０】
このように、上記構成によれば、複数の放熱フィン１０を均等ピッチで配列するのではなく、流路幅が互いに異なる第１流路２１０及び第２流路２２０が形成されるように複数の放熱フィン１０を不等ピッチで配列することで、放熱フィン１０の設置密度の向上を図りながら、冷却空気を内周側の領域まで導くことが可能になり、照明器具１の放熱効率を向上させることができる。
【００７１】
さらに、上記構成によれば、内周側における流路幅が比較的広い第２流路２２０を形成したことにより、フィン収容空間４０の内周側に作業用のスペースを確保することができ、例えば放熱フィン１０の取り付け作業に際して工具を挿入しやすくなり、作業性を向上させるという利点も有する。
【００７２】
幾つかの実施形態では、例えば図６乃至図８に示すように、複数の放熱フィン１０は、一対のフィン部１０２と、該一対のフィン部１０２を互いに連結する連結部１０６とを有する、少なくとも一つのフィンモジュール１００を含んで構成される。この連結部１０６は、一対のフィン部１０２の基端部を接続するように支持基板４に平行に延在する平板部１１７（図１も参照）を含み、該平板部１１７が支持基板４に取付けられている。なお、図６乃至図８に例示的に示す実施形態では、平板部１１７が支持基板４の第２面（上面）４ｂに固定されている。また、第２流路２２０は、一対のフィン部１０２間において、平板部１１７を挟んで支持基板４とは反対側（図６乃至図８に示す実施形態では支持基板４の上方）に形成される。
【００７３】
第２流路２２０の流路幅は、内周側の領域まで十分な量の冷却空気を導くために高精度に調節されることが望ましい。ところが、複数の放熱フィン１０を組み付けるに際して、各放熱フィン１０を高精度に位置合わせしようとすると、照明器具１の組立て作業の効率が低下してしまう。
この点、上記構成によれば、第２流路２２０を形成する一対のフィン部１０２が連結部１０６によって連結されてフィンモジュール１００を構成しているため、照明器具１の組立て作業の効率低下を招くことなく、規定の流路幅を有する第２流路２２０を高精度に形成することができる。
また、フィンモジュール１００の連結部１０６（平板部１１７）が支持基板４の第２面（上面）４ｂに固定されるため、支持基板４からの熱が連結部１０６に直接伝わりやすくなり、照明器具１の放熱効率が向上する。
【００７４】
幾つかの実施形態では、例えば図７及び図８に示されるように、周方向において互いに隣接して複数の第１流路２１０（２１０ａ，２１０ｂ）が並んで形成される第１流路群２１２が、第２流路２２０の両側に配置されてもよい。図７及び図８に例示的に示される実施形態では、第１流路群２１２は、互いに隣接した２つの第１流路２１０ａ，２１０ｂからなり、この第１流路群２１２が第２流路２２０の両側に配置されている。
【００７５】
上記構成では、内周側の領域まで十分な量の冷却空気を導くためにある程度の流路幅を必要とする第２流路２２０の両側において、第２流路２２０よりも流路幅が狭い第１流路２１０（２１０ａ，２１０ｂ）が複数並んで第１流路群２１２を形成している。これにより、第１流路２１０（２１０ａ，２１０ｂ）を形成する放熱フィン１０の設置密度が向上し、照明器具１の放熱効率が向上する。
【００７６】
さらに、上記実施形態において、支持基板４には、周方向に並ぶ複数の開口５が形成されており、周方向に隣り合う一対の開口５の間にはブリッジ７が設けられている。
この場合、第１流路２１０（２１０ａ，２１０ｂ）を形成する放熱フィン１０の少なくとも一つは、少なくとも部分的に、支持基板４の周方向においてブリッジ７とオーバーラップするように設けられており、第２流路２２０を形成する放熱フィン１０は、いずれも、開口５とオーバーラップするように設けられている。
図７に例示的に示す実施形態では、放熱フィン１０の少なくとも一つは、少なくとも部分的に、ブリッジ７の上方に位置しており、第２流路２２０を形成する放熱フィン１０は、いずれも、開口５の上方に位置する。より具体的には、第１流路２１０（２１０ａ，２１０ｂ）を形成する第２フィン部１０２Ｂが部分的にブリッジ７の上方に位置しているのに対し、第２流路２２０を形成する第１フィン部１０２Ａ及び第３フィン部１０２Ｃは、いずれも、開口５の上方に位置する。
【００７７】
上記構成によれば、流路幅が比較的広い第２流路２２０を形成する放熱フィン１０（第１フィン部１０２Ａ及び第３フィン部１０２Ｃ）は、第２流路２２０を介して内周側の領域まで導かれた冷却空気との間で生じる熱交換によって冷却される。その上、上記構成では、第２流路２２０を形成する放熱フィン１０（第１フィン部１０２Ａ及び第３フィン部１０２Ｃ）を開口５の上方に位置させるようにしたので、第２流路２２０を形成する放熱フィン１０（第１フィン部１０２Ａ及び第３フィン部１０２Ｃ）は、外周側の領域においても、開口５を介してフィン収容空間４０に流入する冷却空気の上方に向かう流れと直接接触して冷却空気との間で生じる熱交換によって冷却される。
このように、第２流路２２０を形成する放熱フィン１０（第１フィン部１０２Ａ及び第３フィン部１０２Ｃ）を、内周側の領域及び外周側の領域の両方において、優先的に冷却空気と接触させることにより、照明器具１全体としての放熱効率を向上させることができる。
【００７８】
一実施形態では、図６及び図７に示すように、放熱フィン１０は、内周側の第１端部１０３と支柱部３０の外周面との間に隙間が設けられており、この隙間によって、支柱部３０の周りにおいて鉛直方向に延在する略環状の中心流路２５０が形成されている。
この場合、第１流路２１０（２１０ａ，２１０ｂ）または第２流路２２０の少なくとも何れかの流路は、内周側において中心流路２５０に連通していてもよい。これにより、開口５から第１流路２１０（２１０ａ，２１０ｂ）または第２流路２２０に流入した空気の一部が中心流路２５０に流れ込んで内周側に導かれ、放熱フィン１０の放熱を促進することができる。
【００７９】
他の実施形態では、第１流路２１０（２１０ａ，２１０ｂ）及び第２流路２２０を含む複数の冷却流路のうち一部の流路が内周側において中心流路２５０に連通しており、他の流路は、外周側から内周側へ向かう方向（例えば半径方向）において中心流路２５０とは隔絶されるように内周側端部が閉じている。例えば図６に示す実施形態において、第２流路２２０は中心流路２５０に連通し、第１流路２１０は中心流路２５０と隔絶されるように内周側端部が閉じていてもよい。あるいは、図７に示す実施形態において、第２流路２２０は中心流路２５０に連通し、第１流路２１０ａ，２１０ｂは中心流路２５０と隔絶されるように内周側端部が閉じていてもよい。
上記構成によれば、内周側において中心流路２５０に連通した第２流路２２０において内周側へ向かう空気の流れが形成され、中心流路２５０と隔絶されるように内周側端部が閉じられた第１流路２１０ａ，２１０ｂにおいて鉛直方向に沿って上昇する空気の流れが形成される。このように流路によって空気の流れを異ならせることによって、放熱フィン１０の放熱をより一層促進することができる。
【００８０】
上述したように、本発明の少なくとも幾つかの実施形態によれば、支持基板４に形成された開口５を含む仮想平面Ｍに対して垂直な方向（垂直方向Ｖ）からみたとき、放熱フィン１０は支持基板４の開口５とオーバーラップするように設けられているので、開口５からフィン収容空間４０に流入した冷却空気が、開口５を通過した直後に放熱フィン１０に衝突する。よって、放熱フィン１０と冷却空気との熱交換が促進され、照明器具１の放熱効率を向上させることができる。
【００８１】
本発明は上述した実施形態に限定されることはなく、上述した実施形態に変形を加えた形態や、これらの形態を適宜組み合わせた形態も含む。
【００８２】
例えば、上記実施形態では、図３に示すように上面視において略円形の照明器具１について具体的に説明したが、照明器具１の形状はこれに限定されるものではなく、例えば、上面視において多角形状であってもよい。
また、上記実施形態では、図６乃至図８に示すように放熱フィン１０が、複数のフィンモジュール１００Ａ，１００Ｂ，１００Ｃを有する場合について説明したが、放熱フィン１０の構成はこれらの実施形態に限定されるものではない。例えば、フィンモジュール１００Ａ，１００Ｂ，１００Ｃに替えて単独で支持基板４に取付けられたフィン部が複数設けられた構成であってもよいし、３枚以上のフィン部が連結部によって連結されフィンモジュールを有する構成であってもよい。
【００８３】
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「含む」、又は、「有する」という表現は、他の構成要素の存在を除外する排他的な表現ではない。
【符号の説明】
【００８４】
１        照明器具
２        発光部
４        支持基板
４ａ      第１面
４ｂ      第２面
５        開口
７        ブリッジ
８        照明カバー
１０      放熱フィン
２０      シェード
２３      締結部材
２４      上部支持板
２５      空気排出口
３０      支柱部
３４      スペーサ
３５      カバープレート
４０      フィン収容空間
４２      下方空間
５２      外部空間
１００    フィンモジュール
１００Ａ  第１フィンモジュール
１００Ｂ  第２フィンモジュール
１００Ｃ  第３フィンモジュール
１０２    フィン部
１０２Ａ  第１フィン部
１０２Ｂ  第２フィン部
１０２Ｃ  第３フィン部
１０６    連結部
１０６Ａ  第１連結部
１０６Ｂ  第２連結部
１０６Ｃ  第３連結部
１１７    平板部
２００    冷却流路
２１０，２１０ａ，２１０ｂ    第１流路
２１２    第１流路群
２２０    第２流路
２５０    中心流路
Ｍ        仮想平面
Ｖ        垂直方向
【図１】
2017041342.tif 000003
【図２】
2017041342.tif 000004
【図３】
2017041342.tif 000005
【図４】
2017041342.tif 000006
【図５】
2017041342.tif 000007
【図６】
2017041342.tif 000008
【図７】
2017041342.tif 000009
【図８】
2017041342.tif 000010